(57)【要約】【課題】扉の合わせ部を、洗浄工程及びすすぎ工程においては水漏れを防ぎ、乾燥工程においては洗浄槽の内部の空気及び水蒸気を排気する構成とすることにより、排気口を開設する必要をなくし食器洗い乾燥機に必要な部品点数を減らして、製造費用の削減を図ることができる食器洗い乾燥機を提供する。【解決手段】前記筐体１の正面上側には板状の上扉２２を備え、前記筐体１の正面下側には板状の下扉２３を備え、上扉２２の下端部を合わせ部２２ａとし、下扉２３の上端部は合わせ部２３ａとする。上扉２２の下面には内面側の縁に沿って、下側に適長突出している突条２２ｂを上扉２２と一体に設け、下扉２３の上面には外面側の縁に沿って、上側に適長突出している突条２３ｂを下扉２３と一体に設ける。【選択図】図３
2008018018.tif 000002
【特許請求の範囲】
【請求項１】
正面に開口部を有する筐体と、前記開口部の上下に位置して、合わせ部を有し前記開口部を上下方向に開閉する複数の扉と、前記筐体の内部に設けられている洗浄槽とを備え、食器を乾燥する乾燥工程を含む運転を行う食器洗い乾燥機において、
前記乾燥工程にて前記合わせ部の間から前記洗浄槽の内部の空気を排気するようにしてあることを特徴とする食器洗い乾燥機。
【請求項２】
対向する他方の前記合わせ部に向けて突出しており、前記合わせ部に内外方向に並設され、上側に突出している先端が下側に突出している先端より上方に位置する突条を備え、前記先端のそれぞれと前記先端のそれぞれと対向する前記合わせ部との間及び前記突条同士の間に隙間があることを特徴とする請求項１に記載の食器洗い乾燥機。
【請求項３】
下側の前記扉の上面に水を溜める溜水溝が設けられ、前記合わせ部及び前記突条の間に水膜が形成されるようにしてあることを特徴とする請求項２に記載の食器洗い乾燥機。
【請求項４】
前記溜水溝よりも浅く水を前記洗浄槽の内部に導く導水溝が前記溜水溝に連設されていることを特徴とする請求項３に記載の食器洗い乾燥機。
【請求項５】
下側の前記扉の内面であって前記合わせ部の近傍に遮蔽突部を備えることを特徴とする請求項１乃至４のいずれか１つに記載の食器洗い乾燥機。
【請求項６】
前記遮蔽突部の上面は前記洗浄槽の底に向けて傾斜していることを特徴とする請求項５に記載の食器洗い乾燥機。
【請求項７】
前記扉の外面であって最下に位置する前記合わせ部より下側に離隔した位置に手を触れて操作する操作部を備えることを特徴とする請求項１乃至６のいずれか１つに記載の食器洗い乾燥機。
【発明の詳細な説明】
【技術分野】
【０００１】
本発明は、洗浄工程及びすすぎ工程においては水漏れを防ぐことができ、また乾燥工程においては洗浄槽の内部の空気及び水蒸気の排気を行うことができる扉を備える食器洗い乾燥機に関する。
【背景技術】
【０００２】
従来の食器洗い乾燥機にあっては、正面に開口部を有する筐体と、該筐体の正面の上側及び下側に支持されており、上下方向に開閉する２つの扉と、該扉の合わせ部に設けられているシール部材とを備えていた。シール部材を前記合わせ部に設けることにより扉を閉じた場合に隙間を生じないようにして、洗浄工程又はすすぎ工程にて水が扉の隙間から漏出することを防いでいた。
【０００３】
また、上側の扉の上部に排気口が開設されており、下側の扉には扉の開閉に使用するハンドルが設けられていた。洗浄槽の内部の空気及び水蒸気を排気する場合には前記排気口を使用して、洗浄槽の内部の空気及び水蒸気が前記ハンドルに当たることを防ぎ、該ハンドルが高温になることを防止していた（特許文献１参照）。
【特許文献１】特許第３４９４１５０号公報
【発明の開示】
【発明が解決しようとする課題】
【０００４】
特許文献１に記載の食器洗い乾燥機にあっては、食器洗い乾燥機の組み立てに前記シール部材を用いている。しかし、前記シール部材を前記合わせ部に取り付ける場合には水漏れを防ぐため精密に取り付ける必要があり、前記シール部材の取り付けに長時間を要するので、前記シール部材を用いることは食器洗い乾燥機の組立時間の短縮を図る上での制約となっていた。
【０００５】
また前記排気口を上側の扉の上部に開設しているが、排気口を開設する場合には、排気口に洗浄水が直接噴射されて水が外に漏出することを防ぐために、洗浄槽の内部であって排気口に対向する位置に排気カバーを設ける必要があるので、食器洗い乾燥機に必要な部品点数が多くなり、食器洗い乾燥機の製造費用の削減が困難になるという問題点があった。
【０００６】
本発明は斯かる事情に鑑みてなされたものであり、乾燥工程にて扉の合わせ部の間から洗浄槽の内部の空気及び水蒸気を排気する構成とすることにより、排気口を開設する必要をなくし食器洗い乾燥機に必要な部品点数を減らして、製造費用の削減を図ることができる食器洗い乾燥機を提供することを目的とする。
【０００７】
また扉の合わせ部に、対向する他方の合わせ部に向けて突出する突条を内外方向に並設することにより、洗浄工程又はすすぎ工程に水が扉の外側に漏出することを防ぎ、シール部材を取り付ける時間を削減し、食器洗い乾燥機の組立時間を短縮することができる食器洗い乾燥機を提供することを目的とする。
【課題を解決するための手段】
【０００８】
本発明に係る食器洗い乾燥機は、正面に開口部を有する筐体と、前記開口部の上下に位置して、合わせ部を有し前記開口部を上下方向に開閉する複数の扉と、前記筐体の内部に設けられている洗浄槽とを備え、食器を乾燥する乾燥工程を含む運転を行う食器洗い乾燥機において、前記乾燥工程にて前記合わせ部の間から前記洗浄槽の内部の空気を排気するようにしてあることを特徴とする。
【０００９】
本発明においては、前記合わせ部の間から前記洗浄槽の内部の空気を排気する構成とすることにより、排気口を設ける必要がなくなり、食器洗い乾燥機に必要な部品点数が軽減される。
【００１０】
また本発明に係る食器洗い乾燥機は、対向する他方の前記合わせ部に向けて突出しており、前記合わせ部に内外方向に並設され、上側に突出している先端が下側に突出している先端より上方に位置する突条を備え、前記先端のそれぞれと前記先端のそれぞれと対向する前記合わせ部との間及び前記突条同士の間に隙間があることを特徴とする。
【００１１】
本発明においては、前記合わせ部に、対向する他方の合わせ部に向けて突出させた突条を設けることにより、前記洗浄槽の内部に設けられている噴射ノズルから噴射された水が前記合わせ部の間に向けて噴射された場合であっても、水が前記突条に当たり、前記扉の外側に水が漏出することを防ぐ。
【００１２】
また本発明に係る食器洗い乾燥機は、下側の前記扉の上面に水を溜める溜水溝が設けられ、前記合わせ部及び前記突条の間に水膜が形成されるようにしてあることを特徴とする。
【００１３】
本発明においては、下側の前記扉の上面に水を溜める溜水溝を設けることにより、溜水溝に水を溜めて前記合わせ部及び前記突条の間に水膜を形成し、洗浄工程及びすすぎ工程にて前記洗浄槽の内部の空気及び水蒸気が前記合わせ部の間から漏出することを防ぐ。
【００１４】
また本発明に係る食器洗い乾燥機は、前記溜水溝よりも浅く水を前記洗浄槽の内部に導く導水溝が前記溜水溝に連設されていることを特徴とする。
【００１５】
本発明においては、前記溜水溝よりも浅い導水溝を前記溜水溝に連設することにより、前記溜水溝に過剰に流入した水を、前記導水溝を通して前記洗浄槽の内部に流すので、前記溜水溝に水が溜まり過ぎることを防ぎ、また、前記溜水溝の付近に滞留している水が前記溜水溝に流れやすくなり、該溜水溝の付近に滞留している水の量が減少する。
【００１６】
また本発明に係る食器洗い乾燥機は、下側の前記扉の内面であって前記合わせ部の近傍に遮蔽突部を備えることを特徴とする。
【００１７】
本発明においては、下側の前記扉の内面であって前記合わせ部の近傍に遮蔽突部を設けることにより、前記洗浄槽に設けられている噴射ノズルから前記合わせ部の間に向けて水が噴射された場合でも、噴射された水は前記遮蔽突部に当たり、前記合わせ部の間に形成された水膜が破られることを防止する。
【００１８】
また本発明に係る食器洗い乾燥機は、前記遮蔽突部の上面は前記洗浄槽の底に向けて傾斜していることを特徴とする。
【００１９】
本発明においては、前記遮蔽突部の上面を前記洗浄槽の底に向けて傾斜させることにより、前記遮蔽突部の上面に付着した残菜が前記洗浄槽の内部に向けて水と共に洗い流され、前記遮蔽突部の上面に残菜が残ることを防ぐ。
【００２０】
また本発明に係る食器洗い乾燥機は、前記扉の外面であって最下に位置する前記合わせ部より下側に離隔した位置に手を触れて操作する操作部を備えることを特徴とする。
【００２１】
本発明においては、前記扉の外面であって最下に位置する前記合わせ部より下側に離隔した位置に手を触れて操作する操作部を設けることにより、前記合わせ部の間から排気される前記洗浄槽の内部の空気及び水蒸気が前記操作部に当たることを防ぎ、該操作部が高温になることを防止する。
【発明の効果】
【００２２】
本発明に係る食器洗い乾燥機においては、前記合わせ部の間から前記洗浄槽の内部の空気を排気する構成とすることにより、排気口を設ける必要がなくなり、食器洗い乾燥機に必要な部品点数を減らし、食器洗い乾燥機の組立に必要な製造費用の削減を図ることができる。
【００２３】
また本発明に係る食器洗い乾燥機においては、前記合わせ部に、対向する他方の合わせ部に向けて突出させた突条を設けることにより、前記洗浄槽の内部に設けられている噴射ノズルから噴射された水が前記合わせ部の間に向けて噴射された場合であっても、水が前記突条に当たり、前記扉の外側に水は漏れ出ないので、シール部材を取り付ける時間を削減し食器洗い乾燥機の組立時間を短縮することができる。
【００２４】
また本発明に係る食器洗い乾燥機においては、下側の前記扉の上面に水を溜める溜水溝を設けることにより、溜水溝に水を溜めて前記合わせ部及び突条の間に水膜を形成し、洗浄工程及びすすぎ工程にて前記洗浄槽の内部の空気及び水蒸気が前記合わせ部及び突条の間から漏れ出ないようにしている。したがって洗浄工程及びすすぎ工程にて前記洗浄槽の内部の温度が低下することを防ぎ、洗浄効果の低下を防止することができる。
【００２５】
また本発明に係る食器洗い乾燥機においては、前記溜水溝よりも浅い導水溝を前記溜水溝に連設することにより、前記溜水溝に過剰に流入した水を、前記導水溝を通して前記洗浄槽の内部に流すので、前記溜水溝に水が溜まり過ぎることを防ぎ、また、前記溜水溝の付近に滞留している水が前記溜水溝に流れやすくなり、該溜水溝の付近に滞留している水の量が減少するので、例えば扉を開けた場合に、扉の外側に飛散する水の量を低減することができる。
【００２６】
また本発明に係る食器洗い乾燥機においては、下側の前記扉の内面であって前記合わせ部の近傍に遮蔽突部を設けることにより、前記洗浄槽に設けられている噴射ノズルから前記合わせ部の間に向けて水が噴射された場合でも、噴射された水は前記遮蔽突部に当たり、前記合わせ部の間に形成された水膜が破られることを防止する。したがって洗浄工程及びすすぎ工程にて前記洗浄槽の内部の空気及び水蒸気が前記合わせ部の間から漏れ出ず、洗浄工程及びすすぎ工程にて前記洗浄槽の内部の温度が低下することを防ぎ、洗浄効果の低下を防止することができる。
【００２７】
また本発明に係る食器洗い乾燥機においては、前記遮蔽突部の上面を前記洗浄槽の底に向けて傾斜させることにより、前記遮蔽突部の上面に付着した残菜が前記洗浄槽の内部に向けて水と共に洗い流され、前記遮蔽突部の上面に残菜が残ることを防ぐので、扉を開けたときに残った残菜が扉の外側に飛散することを防止することができる。
【００２８】
また本発明に係る食器洗い乾燥機においては、前記扉の外面であって最下に位置する前記合わせ部より下側に離隔した位置に手を触れて操作する操作部を設けることにより、前記合わせ部の間から排気される前記洗浄槽の内部の空気及び水蒸気が前記操作部に当たることを防ぎ、該操作部が高温になることを防止するので、利用者は火傷をすることなく前記操作部に触れることができる。
【発明を実施するための最良の形態】
【００２９】
（実施の形態１）
以下、本発明を実施の形態１を示す図面に基づいて詳述する。図１は実施の形態１に係る食器洗い乾燥機の要部構成を示す模式的正面断面図、図２は洗浄工程又はすすぎ工程における要部構成を示す模式的右側面断面図、図３は乾燥工程における要部構成を示す模式的右側面断面図である。
【００３０】
図において、１は食器洗い乾燥機の外装を成す筐体であり、洗浄槽２が筐体１の内部に設けられ、洗浄槽２の内部には食器１６を載せる食器受具３が設けられている。食器受具３の下側には、食器に水を噴射する噴射ノズル１１と、洗浄及びすすぎを行う場合に水を加熱し、乾燥を行う場合に洗浄槽２内の空気を暖める渦巻形状のヒータ４とが配置されている。洗浄槽２の内壁には水を噴射する固定ノズル１８が取り付けられている。
【００３１】
洗浄槽２の底部左側には洗浄槽２を窪ませてなる貯水タンク１２が設けられている。貯水タンク１２に水を給水する給水管１３が洗浄槽２の左側面部と筐体１との間に配設されており、給水管１３の一端部には給水弁１４が取着され、給水管１３の他端部は洗浄槽２の内部に向けて開口している給水口１５が設けられている。
【００３２】
筐体１の底部中央にはポンプ６及びポンプ６を駆動するモータ７が設けられており、貯水タンク１２の底部とポンプ６とが吸込み管５を介して連接されている。ポンプ６の上部には上側に延びる送水管８が設けられており、送水管８は前記噴射ノズル１１及び固定ノズル１８に連なる送水ダクト１７に連設されている。またポンプ６の上部には筐体１の背面に向けて延設されている排水管９が設けられており、排水管９の先端開口は排水口１０となっている。
【００３３】
筐体１の背部底面側には筐体１の外の空気を洗浄槽２の内部に送る送風ファン１９が設けられている。送風ファン１９の上側には送風ダクト２０が連なっており、送風ダクト２０は筐体１及び洗浄槽２の間に延設されている。送風ダクト２０の延設端はヒータ４の近傍に位置しており、ヒータ４に向けて開口している送風口２１となっている。
【００３４】
筐体１は正面に開口部１ａを備え、前記筐体１の正面上側には板状の上扉２２が、上下に回動して上側に開き下側に閉じるように支持されており、前記筐体１の正面下側には板状の下扉２３が、上下に回動して下側に開き上側に閉じるように支持されている。上扉２２の下端部は合わせ部２２ａとなっており、下扉２３の上端部は合わせ部２３ａとなっている。上扉２２の下面には内面側の縁に沿って、下側に適長突出している突条２２ｂが上扉２２と一体に設けられ、下扉２３の上面には外面側の縁に沿って、上側に適長突出している突条２３ｂが下扉２３と一体に設けられており、突条２２ｂ及び突条２３ｂが内外方向に間隔を空けている。
【００３５】
上扉２２及び下扉２３を閉じたときには、合わせ部２２ａ及び２３ａはラビリンス構造を形成する。突条２２ｂの先端は、合わせ部２３ａの突条２３ｂが形成されていない部分に僅かな隙間を空けて接近して対向し、突条２３ｂの先端は、合わせ部２２ａの突条２２ｂが形成されていない部分に僅かな隙間を空けて接近して対向しており、合わせ部２２ａ及び２３ａの間はクランク状の排気通路２４となる。
【００３６】
次に実施の形態１に係る食器洗い乾燥機の運転について説明する。洗浄工程又はすすぎ工程においては給水弁１４を開き、水を給水管１３に通して給水口１５から貯水タンク１２に水を供給する。貯水タンク１２に供給された水は、吸込み管５を通ってポンプ６に送られる。ポンプ６に送られた水はモータ７の駆動により、送水管８及び送水ダクト１７を経由して噴射ノズル１１又は固定ノズル１８に送られ、図２にて矢印で示すように噴射ノズル１１又は固定ノズル１８の噴射口から洗浄槽２の内部に噴射される。
【００３７】
食器１６に向けて噴射された水は、食器１６の表面に当たり食器表面に付着した汚れを剥離させる。合わせ部２２ａ及び合わせ部２３ａの間に向けて噴射された水は、突条２２ｂ又は突条２３ｂに当たり、上扉２２及び下扉２３の外面側に水は漏れ出ない。
【００３８】
水の噴射が終了するとモータ７が逆向きに駆動され、貯水タンク１２に溜まっている水が吸込み管５を通りポンプ６に送られる。ポンプ６に送られた水は排水管９を通り排水口１０から排水され、洗浄工程又はすすぎ工程は終了する。
【００３９】
洗浄工程及びすすぎ工程が終了すると、乾燥工程に移る。図３の矢印は送風ファン１９から筐体１の内部に取り込まれた空気の流れを示している。乾燥工程にて送風ファン１９から取り込まれた筐体１の外の空気は、送風ダクト２０の内部を通り、送風口２１からヒータ４の近傍に送られる。
【００４０】
送風ファン１９から取り込まれた筐体１の外の空気はヒータ４にて加熱され、加熱された空気は食器１６の表面に当たり、食器を乾燥させる。送風ファン１９により筐体１の外の空気が洗浄槽２の内部に送られているので、食器１６の表面に当たった空気は洗浄槽２の内部の空気及び水蒸気と共に押出されて排気通路２４を通流し筐体１の外に排気される。
【００４１】
前記洗浄槽２の内部にある空気及び水蒸気を前記排気通路２４に通流させて排気させることにより、排気口を設ける必要がなくなり、食器洗い乾燥機に必要な部品点数を減らし、食器洗い乾燥機の組立に必要な製造費用を削減することができる。
【００４２】
また、上扉２２の下面に下側に適長突出している突条２２ｂを設け、下扉２３の上面に上側に適長突出している突条２３ｂを設けることにより、前記洗浄槽２の内部に設けられている噴射ノズル１１から噴射された水が前記合わせ部２２ａ及び合わせ部２３ａとの間に向けて噴射された場合であっても、水は前記突条２２ｂ又は２３ｂに当たり、前記扉の外側に水は漏出しないので、シール部材を取り付ける時間を削減して食器洗い乾燥機の組立時間を短縮することができる。
【００４３】
なお、突条２２ｂが上扉２２の下面にて上扉２２の外面側の縁に沿って下側に適長突出し、突条２３ｂが下扉２３の上面にて下扉２３の内面側の縁に沿って上側に適長突出する構成であっても良い。また、３つ以上の扉が開口部１ａを上下方向に開閉し、２以上の合わせ部の間から洗浄槽の内部の空気及び水蒸気を排気する構成であっても良い。また、突条は３つ以上あっても良い。
【００４４】
（実施の形態２）
以下、本発明を実施の形態２を示す図面に基づいて詳述する。図４は実施の形態２に係る食器洗い乾燥機の洗浄工程又はすすぎ工程における要部構成を示す模式的右側面断面図、図５は合わせ部２２ａ及び２３ａ付近の構成を示す模式的部分拡大側面断面図である。
【００４５】
下扉２３の上面であって、突条２２ｂの先端に対向する位置に左右方向に長い溜水溝２３ｃが設けられている。溜水溝２３ｃには、洗浄槽２の内部に向かって延伸しており溜水溝２３ｃよりも浅い導水溝２３ｄが連設されている。
【００４６】
洗浄工程及びすすぎ工程にて噴射ノズル１０又は固定ノズル１８からヒータ４にて加熱された水が噴射され、合わせ部２２ａ及び合わせ部２３ａの間に水が掛かり、溜水溝２３ｃに水が溜まる。突条２２ｂの先端及び合わせ部２３ａは接近して対向しているので、突条２２ｂの先端及び合わせ部２３ａの間には水膜Ｓが形成される。特に洗浄工程においては水に洗剤が溶け込んでいることから水膜Ｓが形成されやすい。水膜Ｓが形成されると洗浄槽２の内部の空気及び水蒸気は排気通路２４を通流できず筐体１の外に排気されない。
【００４７】
乾燥工程にて送風ファン１９から取り込まれた筐体１の外の空気が送風ダクト２０の内部を通り洗浄槽２の内部に送られると、送風ファン１９から取り込まれた筐体１の外の空気は水膜Ｓを押圧し、水膜Ｓを破る。水膜Ｓが破れると、送風ファン１９から取り込まれた筐体１の外の空気は押出されて洗浄槽２の内部にある空気及び水蒸気と共に排気通路２４を通流し、筐体１の外に排気される。
【００４８】
洗浄工程及びすすぎ工程にて、合わせ部２３ａに水が掛かると、水は溜水溝２３ｃに流入する。溜水溝２３ｃに流入した水の水位が導水溝２３ｄの底の位置よりも高くなると、溜水溝２３ｃに流入した水は導水溝２３ｄを通り洗浄槽２の内部へ流される。溜水溝２３ｃに流入した水の水位が導水溝２３ｄの底の位置よりも低くなると、溜水溝２３ｃに流入した水は洗浄槽２の内部へ流されず、溜水溝２３ｃには所定量の水が溜まる。
【００４９】
下扉２３の上面に水を溜める溜水溝２３ｃを設けることにより、溜水溝２３ｃに水を溜めて前記突条２２ｂの先端及び合わせ部２３ａの間に水膜Ｓを形成し、洗浄工程及びすすぎ工程にて前記洗浄槽２の内部の空気及び水蒸気が前記排気通路２４を通流して漏れ出ないようにしているので、洗浄工程及びすすぎ工程にて前記洗浄槽２の内部の温度が低下し、洗浄効果が低下することを防ぐことができる。
【００５０】
また、前記溜水溝２３ｃよりも浅い導水溝２３ｄを前記溜水溝２３ｃに連設することにより、前記溜水溝２３ｃに過剰に流入した水を、前記導水溝２３ｄを通して前記洗浄槽２の内部に流すので、前記溜水溝２３ｃに水が溜まりすぎることを防ぎ、前記溜水溝２３ｃの付近に滞留している水が前記溜水溝２３ｃに流れやすくなり、該溜水溝２３ｃの付近に滞留している水の量が減少するので、例えば上扉２２及び下扉２３を開けた場合又は乾燥工程にて前記洗浄槽２の内部の空気及び水蒸気を排気する場合に、上扉２２及び下扉２３の外側に飛散する水の量を低減することができる。
【００５１】
なお、溜水溝２３ｃに水が流入しやすいように、溜水溝２３ｃに向かう傾斜を合わせ部２３ａに設けても良い。また、導水溝２３ｄを溜水溝２３ｃに複数連設させても良い。
【００５２】
実施の形態２に係る食器洗い乾燥機の構成の内、実施の形態１と対応する構成については同じ符号を付し、その詳細な説明を省略する。
【００５３】
（実施の形態３）
以下、本発明を実施の形態３を示す図面に基づいて詳述する。図６は実施の形態３に係る食器洗い乾燥機の洗浄工程又はすすぎ工程における要部構成を示す模式的右側面断面図である。
【００５４】
下扉２３の内面の上端縁に沿って突条の遮蔽突部２５が設けられており、遮蔽突部２５の上下方向に切断した場合の断面形状は、内側に向けて縮幅された略等脚台形となっている。上扉２２及び下扉２３には係合部材（図示せず）がそれぞれ設けられており、前記係合部材が互いに係合すると開口部１ａが閉じられる構成となっている。下扉２３の外面上部であって合わせ部２３ａの位置よりも下側に離隔した位置に、前記係合部材の係合を解除する係合解除ボタン２６が設けられている。
【００５５】
遮蔽突部２５が下扉２３の内面の上端縁に沿って設けられているので、噴射ノズル１１から突条２２ｂの先端及び合わせ部２３ａの間に向けて噴射された水は、遮蔽突部２５に当たり、突条２２ｂの先端及び合わせ部２３ａの間に形成された水膜Ｓが破られることを防ぐことができる。また、遮蔽突部２５の上面は下扉２３の内面に対し洗浄槽２の底に向けて傾斜しているので、遮蔽突部２５の上面に付着した残菜は洗浄槽２の内部に向けて水で洗い流される。
【００５６】
係合解除ボタン２６が合わせ部２３ａの位置よりも下側に離隔した位置に設けられているので、乾燥工程にて排気された洗浄槽２の内部の高温の空気及び水蒸気が係合解除ボタン２６に当たらず、該係合解除ボタン２６が高温になることを防ぐ。
【００５７】
下扉２３の内面上端縁に沿って遮蔽突部２５を設けることにより、前記洗浄槽２に設けられている噴射ノズル１１から前記突条２２ｂの先端及び合わせ部２３ａの間に向けて水が噴射された場合でも、噴射された水は前記遮蔽突部２５に当たり、前記突条２２ｂの先端及び合わせ部２３ａの間に形成された水膜Ｓが破られることを防止する。したがって洗浄工程及びすすぎ工程にて前記洗浄槽２の内部の空気及び水蒸気が前記排気通路２４を通流せず、前記上扉２２及び下扉２３の外に前記洗浄槽２の内部の空気及び水蒸気は漏れ出ないので、洗浄工程及びすすぎ工程にて前記洗浄槽２の内部の温度が低下することを防ぎ、洗浄効果の低下を防止することができる。
【００５８】
また、前記遮蔽突部２５の上面を前記下扉２３の内面に対し前記洗浄槽２の底に向けて傾斜させることにより、前記遮蔽突部２５の上面に付着した残菜が前記洗浄槽２の内部に向けて水と共に洗い流され、前記遮蔽突部２５の上面に残菜が残ることを防ぐので、残った残菜が前記上扉２２及び下扉２３を開けたときに飛散することを防止することができる。
【００５９】
また、下扉２３の外面であって前記合わせ部２３ａから下側に離隔した位置に係合解除ボタン２６を設けることにより、前記洗浄槽２の内部の空気及び水蒸気が前記係合解除ボタン２６に当たることを防ぎ、該係合解除ボタン２６が高温になることを防止するので、利用者は火傷することなく前記係合解除ボタン２６に触れることができる。
【００６０】
なお、前記係合解除ボタン２６のみならず、ハンドル等の手を触れて操作する操作部を前記下扉２３の外面であって前記合わせ部２３ａから下側に離隔した位置に設けても良い。
【００６１】
実施の形態３に係る食器洗い乾燥機の構成の内、実施の形態１又は２と対応する構成については同じ符号を付し、その詳細な説明を省略する。
【図面の簡単な説明】
【００６２】
【図１】実施の形態１に係る食器洗い乾燥機の要部構成を示す模式的正面断面図である。
【図２】実施の形態１に係る食器洗い乾燥機の洗浄工程又はすすぎ工程における要部構成を示す模式的右側面断面図である。
【図３】実施の形態１に係る食器洗い乾燥機の乾燥工程における要部構成を示す模式的右側面断面図である。
【図４】実施の形態２に係る食器洗い乾燥機の洗浄工程又はすすぎ工程における要部構成を示す模式的右側面断面図である。
【図５】実施の形態２に係る食器洗い乾燥機の合わせ部及び付近の構成を示す模式的部分拡大側面断面図である。
【図６】実施の形態３に係る食器洗い乾燥機の洗浄工程又はすすぎ工程における要部構成を示す模式的右側面断面図である。
【符号の説明】
【００６３】
１  筐体
１ａ  開口部
２  洗浄槽
３  食器受具
４  ヒータ
１９  送風ファン
２０  送風ダクト
２１  送風口
２２  上扉
２３  下扉
２２ａ，２３ａ  合わせ部
２２ｂ，２３ｂ  突条
２３ｃ  溜水溝
２３ｄ  導水溝
２４  排気通路
【図１】
2008018018.tif 000003
【図２】
2008018018.tif 000004
【図３】
2008018018.tif 000005
【図４】
2008018018.tif 000006
【図５】
2008018018.tif 000007
【図６】
2008018018.tif 000008